(57)【要約】【課題】本発明は、ロックナット付き電気コネクタに関し、金属製シェルにおけるグランドへの接地コースを、コネクタハウジングの構造を簡易にして且つ確実で耐久性に優れたものにすることが課題である。【解決手段】嵌合ロック用のナットをコネクタハウジング３のナット収納部３ｄに有するとともに、前記コネクタハウジングの外表面の一部を覆う金属製シェル４を有する電気コネクタにおいて、前記ナット収納部３ｄが、上下方向で上部に開口部を開口させ前記ナットが全部没入される深さの凹部であり、該ナット収納部の上下方向である収納方向に直交する前後方向にネジ用の貫通孔３ｅが穿設され、該貫通孔の上位置で且つ前後方向にシェル片導通用の貫通孔３ｆが設けられてなり、前記シェル４の一部が、前記シェル片導通用の貫通孔に挿通され、且つ、前記ナット収納部に収納されたナット２の上部に接触して脱落防止及び導通するシェル片４ｄに形成されているロックナット付き電気コネクタ１とする。【選択図】図１
2006269175.tif 000002
【特許請求の範囲】
【請求項１】
嵌合ロック用のナットをコネクタハウジングのナット収納部に有するとともに、前記コネクタハウジングの外表面の一部を覆う金属製シェルを有する電気コネクタにおいて、
前記ナット収納部が、上下方向で上部に開口部を開口させ前記ナットが全部没入される深さの凹部であり、該ナット収納部の上下方向である収納方向に直交する前後方向にネジ用の貫通孔が穿設され、該貫通孔の上位置で且つ前後方向にシェル片導通用の貫通孔が設けられてなり、
前記シェルの一部が、前記シェル片導通用の貫通孔に挿通され、且つ、前記ナット収納部に収納されたナットの上部に接触して脱落防止及び電気的に導通する抜止め導通片に形成されていること、
を特徴とするロックナット付き電気コネクタ。
【請求項２】
抜止め導通片は、その先端部にシェル片導通用の貫通孔を通過して直交方向に屈曲されシェル固定用係止片となる延設部が設けられていること、
を特徴とする請求項１に記載のロックナット付き電気コネクタ。
【発明の詳細な説明】
【技術分野】
【０００１】
本発明は、例えば、接続状態がネジ締結により強固に維持されるようにしたロックナット付き電気コネクタに関するものである。
【背景技術】
【０００２】
従来、パーソナルコンピュータやＬＡＮ機器、計測器等の接続に使用されるＥＭＩ対策用の金属製シェルを有する電気コネクタは、例えば、コネクタ本体の貫通孔に嵌着された導電性ナットと金属製板材とに金属製シェルがネジにより電気的に接続され、プリント基板に実装された時に、当該プリント基板の導電部に接地されるようにしたものが知られている（特許文献１参照）。
【特許文献１】実開平０５−７２０６９号公報
【発明の開示】
【発明が解決しようとする課題】
【０００３】
しかし、従来の電気コネクタでは、コネクタ本体の貫通孔に導電性ナットを嵌着させて金属製シェルをネジで固定して導電を図るものであり、金属製シェルの固定とコネクタのプリント基板への固定構造に、ネジ・ナットを使用しているので、コネクタ本体におけるナット収納構造が複雑となり、部品点数も増えるばかりでなく、固定作業も増えて手間が掛かるものである。また、相手方の電気コネクタとの接続状態においては、単に接続口を嵌合させるだけで、接続状態を確実・強固に保持するスクリューネジ及びナットを使用しロックするものでないので、接続性能において確実性が劣る。本発明に係るロックナット付き電気コネクタは、このような課題を解決するために提案されたものである。
【課題を解決するための手段】
【０００４】
本発明に係るロックナット付き電気コネクタの上記課題を解決して目的を達成するための要旨は、嵌合ロック用のナットをコネクタハウジングのナット収納部に有するとともに、前記コネクタハウジングの外表面の一部を覆う金属製シェルを有する電気コネクタにおいて、前記ナット収納部が、上下方向で上部に開口部を開口させ前記ナットが全部没入される深さの凹部であり、該ナット収納部の上下方向である収納方向に直交する前後方向にネジ用の貫通孔が穿設され、該貫通孔の上位置で且つ前後方向にシェル片導通用の貫通孔が設けられてなり、前記シェルの一部が、前記シェル片導通用の貫通孔に挿通され、且つ、前記ナット収納部に収納されたナットの上部に接触して脱落防止及び導通する抜止め導通片に形成されていることである。
また、前記抜止め導通片は、その先端部にシェル片導通用の貫通孔を通過して直交方向に屈曲されシェル固定用係止片となる延設部が設けられていることを含むものである。
【発明の効果】
【０００５】
本発明のロックナット付き電気コネクタによれば、コネクタハウジングのナット収納部に収納されたナットが、金属製シェルの一部である抜止め導通片に接触することにより、電気的に導通し、抜け止めされるとともに、相手方の電気コネクタのスクリューネジにねじ止めされると、該スクリューネジを介して相手方の電気コネクタにおける金属製シェルも電気的に導通して、プリント基板のグランド（導電部）に接地されることになる。これにより、金属製シェルをコネクタハウジングに取り付けることでナットが抜け止めされるばかりでなく、ナットもネジロック用に１種類だけなので、ナット収納部のハウジング構成も簡易な構造となる。また、グランドへの接地もネジとナットで行われるようになり、確実に接地され、その接地状態も耐久性に優れたものとなる
【０００６】
また、抜止め導通片は、その先端部にシェル片導通用の貫通孔を通過して直交方向に屈曲されシェル固定用係止片となる延設部が設けらているので、コネクタハウジングに金属製シェルを取り付ける際に、貫通孔に差し込んでそこから突出した延設部を上若しくは下に屈曲させるだけで、当該コネクタハウジングへの固定作用を容易に補助し、電気的導通構造も簡易にする。
【発明を実施するための最良の形態】
【０００７】
本発明に係るロックナット付き電気コネクタ１は、例えば、パーソナルコンピュータやＬＡＮ機器等におけるインターネット接続等に使用されるネットワーク用モジュラーコネクタである。図１に示すように、前記電気コネクタ１は、嵌合固定用のナット２をコネクタハウジング３のナット収納部に有するとともに、前記コネクタハウジング３の外表面の一部をＥＭ対策として覆う金属製シェル４を有する。
【０００８】
前記電気コネクタ１における合成樹脂製コネクタハウジング３は、図２（Ａ）に示すように、中央部には、モジュラージャックが嵌捜・挿着される嵌合空間部３ａが大きく設けられ、その下部から上に立ち上がるようにしてコンタクト３ｂが複数本配設されている。この電気コネクタ１における本体部の左右側方に、ロック部３ｃが突出させて設けられている。
【０００９】
前記ロック部３ｃには、図２（Ｂ），（Ｄ），（Ｅ）に示すように、ナット収納部３ｄが設けられている。このナット収納部３ｄは、上下方向で上部に開口部を開口させ六角形状のナットが全部没入される深さの凹部である。ナット収納部３ｄの前後方向の幅は、収納するナットの厚さに対応させその厚さより若干広くしてある。
【００１０】
そして、該ナット収納部３ｄの上下方向である収納方向に直交する前後方向にネジ用の貫通孔３ｅが穿設され、該貫通孔３ｅの上位置で且つ前後方向に、後述のシェル片導通用の貫通孔３ｆが略四角形状にして設けられている。符号３ｇは、この電気コネクタ１をプリント基板に取り付ける際の位置決めとなるボス部を示している。
【００１１】
一方、前記金属製シェル４は、図３（Ａ）〜（Ｅ）に示すように、前記コネクタハウジング３を、図１に示すようにＥＭＩ対策としてほぼ全面的に覆うものであり、例えば、ステンレス製で、中央部に前記嵌合空間部３ａの嵌合形状に対応させた孔４ａが形成され、左右側部には、前記ナット収納部３ｄをカバーする収納部用カバー４ｂが形成されている。
【００１２】
前記収納部用カバー４ｂの正面側には、前記貫通孔３ｅのための孔部４ｃが設けられ、その孔部４ｃを開けるために後方に折り返したシェル片が、前記シェル片導通用の貫通孔３ｆに挿通され、且つ、前記ナット収納部３ｄに収納されたナット２の上部に接触して脱落防止及び電気的に導通する、抜止め導通片４ｄとして形成されている。
【００１３】
また、前記抜止め導通片４ｄは、図４（Ｂ），（Ｃ）に示すように、その先端部にシェル片導通用の貫通孔３ｆを通過して、コネクタハウジング３に挿着後に上方向若しくは下方向の直交方向に屈曲されシェル固定用係止片となる延設部４ｅが設けられている。この抜止め導通片４ｄの途中に、ナット２を下方に押さえつけるための突起４ｆが設けられている。
【００１４】
前記収納部用カバー４ｂの下部で後方には、プリント基板に固定して接地するための、ホールドダウン４ｇが設けられている。また、金属製シェル４の上下には、天板４ｈと底板４ｉとが設けられている。なお、このようにして形成されている金属製シェル４は、前記コネクタハウジング３に前方から挿着された後に、後方にて、その一部が直交方向に屈曲され抜止めされるものである。
【００１５】
また、前記ナット収納部３ｄにおいては、図４（Ａ）に示すように、前記金属製シェル４をコネクタハウジング３に装着する前に、ナット２を上部の開口部から中に落とし込む。そして、前記金属製シェル４の抜止め導通片４ｄを、図４（Ｂ）に示すように、貫通孔３ｆに前から後ろへと差し込む。
【００１６】
前記抜止め片４ｄの突起４ｆが前記ナット２を下に押しつけ、延設部４ｅが前記貫通孔３ｆから後方に突出する。その突出部分を、図４（Ｃ）に示すように、上に屈曲させる。こうして、金属製シェル４の抜止め導通片４ｄがナット収納部３ｄに固定され、ナット２の抜け出しが防止され、且つ、当該ナット２との電気的導通が図られる。
【００１７】
このようにして、構成された電気コネクタ１を使用すると、図５に示すように、スクリューネジ５を左右に有するコネクタ用プラグ６が、例えば電子機器のパネル７に固定されている電気コネクタ１に接続される。前記コネクタ用プラグ６のケーブル６ａにおける電気シールド用のグランドが、プラグ６用金属製シェル６ｂに導通されていて、電気コネクタ１とコネクタ用プラグ６との接続の際に、金属製シェル４と前記金属製シェル６ｂとが導通し、電気コネクタ１側のプリント基板のグランドに接地される。
【００１８】
そして、この金属製シェル４，６同士間の接地コースの他に、図６に示すように、コネクタ用プラグ６の金属製シェル６ｂとロックされたスクリューネジ５とが当接して導通する。そして、このスクリューネジ５を介して、その雄ネジ部５ａからパネル７用のオフセットスクリューネジ８、電気コネクタ１側のナット２へと導通する。更に、前記ナット２から抜止め導通片４ｄに導通して金属製シェル４から当該電気コネクタ１を実装するプリント基板のグランドへと接地される接地コースができる。この接地コースでは、前記スクリューネジ５とナット２との締結で、電気的な導通経路がしっかりと確保され、耐久性に優れたものとなる。
【図面の簡単な説明】
【００１９】
【図１】本発明に係るロックナット付き電気コネクタ１の正面図（Ａ）、側面図（Ｂ）、背面図（Ｃ）である。
【図２】同本発明のロックナット付き電気コネクタ１におけるコネクタハウジング３の正面図（Ａ），平面図（Ｂ），底面図（Ｃ），側面図（Ｄ），背面図（Ｅ）である。
【図３】同本発明のロックナット付き電気コネクタ１における金属製シェル４の正面図（Ａ），平面図（Ｂ），底面図（Ｃ），側面図（Ｄ），背面図（Ｅ）である。
【図４】電気コネクタ１のロック部３ｃにおけるナット２と抜止め導通片４ｄとの使用状態を示す説明図（Ａ），（Ｂ），（Ｃ）である。
【図５】本発明に係るロックナット付き電気コネクタ１の使用状態を説明する平面図（Ａ）、正面図（Ｂ）である。
【図６】本発明に係るロックナット付き電気コネクタ１の使用状態の一部を拡大して示す縦断面図である。
【符号の説明】
【００２０】
１          ロックナット付き電気コネクタ、
２          ナット、
３          コネクタハウジング、              ３ａ        嵌合空間部、
３ｂ        コンタクト、                      ３ｃ        ロック部、
３ｄ        ナット収納部、                    ３ｅ        貫通孔、
３ｆ        貫通孔、                          ３ｇ        ボス部、
４          金属製シェル、                    ４ａ        孔、
４ｂ        収納部用カバー、                  ４ｃ        孔部、
４ｄ        抜止め導通片、                    ４ｅ        延設部、
４ｆ        突起、                            ４ｇ        ホールドダウン、
４ｈ        天板、                            ４ｉ        底板、
５          スクリューネジ、                  ５ａ        雄ネジ部、  
６          コネクタ用プラグ、                ６ａ        ケーブル、
６ｂ        プラグ用金属製シェル、
７          パネル、                      
８          オフセットスクリューネジ。
【図１】
2006269175.tif 000003
【図２】
2006269175.tif 000004
【図３】
2006269175.tif 000005
【図４】
2006269175.tif 000006
【図５】
2006269175.tif 000007
【図６】
2006269175.tif 000008